(57)【特許請求の範囲】
【請求項１】
口筒部と、角錐部と角筒部とからなる肩周壁と、上部胴部と下部胴部とからなる角筒状の胴周壁と、底壁とを具えた角形プラスチックボトルであって、
前記肩周壁の各壁面には、角錐部に肩部横リブを配設し、該肩部横リブの下方に二つの傾斜リブをＶ字形に配設しており、
前記胴周壁の各壁面には、上部胴部の中央に縦リブを配設し、所定の位置に横リブを配設しており、下部胴部には、二つの傾斜リブを逆Ｖ字状に配設しており、
肩周壁と上部胴部、上部胴部と下部胴部とのそれぞれの接続部には、溝状横リブが配設されていることを特徴とする押潰し可能な角形プラスチックボトル。
【請求項２】
口筒部と、角錐部と角筒部とからなる肩周壁と、上部胴部と下部胴部とからなる角筒状の胴周壁と、底壁とを具えた角形プラスチックボトルであって、
前記肩周壁の各壁面には、角錐部に肩部横リブを配設し、該肩部横リブの下方に二つの傾斜リブをＶ字形に配設しており、
前記胴周壁の各壁面には、上部胴部の所定の位置に胴部横リブを配設し、該胴部横リブの上下に、左右に配設された上下の横リブとその中央側端部を連続する傾斜リブとからなる複数の波形リブを配設しており、下部胴部には、二つの傾斜リブを逆Ｖ字状に配設しており、
肩周壁と上部胴部、上部胴部と下部胴部とのそれぞれの接続部には、溝状横リブが配設されていることを特徴とする押潰し可能な角形プラスチックボトル。
【請求項３】
肩周壁の傾斜リブ下端部と、溝状横リブの中央部および下部胴部の傾斜リブの上端部と溝状横リブの中央部にリブ相互の間に一定の間隔を設けるようにしたことを特徴とする請求項１または２に記載の押潰し可能な角形プラスチックボトル。
【発明の詳細な説明】
【０００１】
【発明の属する技術分野】
本発明は、押潰し可能とした角形プラスチックボトルとその押潰し方法に関する。
【０００２】
【従来の技術】
近年、プラスチック廃棄物の処理が大きな問題となり、ＰＥＴボトルを中心に使用済みプラスチック容器のリサイクルも実施されるようになっている。
また、廃棄物の容積を少なくするため、ボトルの押潰しが実施されるようになっており、押潰し可能とした角形のＰＥＴボトルも従来より知られている。
【０００３】
【発明が解決しようとする課題】
従来の角形ボトルは、ボトル胴部に、横方向に水平または波形に延びるリブと、該リブに連続する折れ目の形成を容易にするための短いリブ、および胴部の下端部に設けられた縦リブとを具えており、胴部を径方向に前後から押圧して扁平にし、次いで、扁平胴部を底部からボトル軸方向に折り曲げ、順次丸め込んでいくようにするか、あるいは底部と胴部下端を扁平にし、ボトル軸方向に折り曲げ、口部に向かって順次扁平にしながら丸め込んで廃棄ボトルとしている。
【０００４】
しかしながら、胴部全体を通じて縦方向に延びるリブが配設されていないため、胴部を径方向に前後から押圧したときに扁平胴部の両側の折り曲げ端部が湾曲面となり、扁平胴部の対向面の間にある程度の厚さが残り、また、両側の折り曲げ端部が直線状に延びなかった。
そのため、扁平胴部の丸め込みにあたって、さらに大きい押圧力を加え、両側の折り曲げ部を扁平にしなければ丸め込みが容易に出来ないという問題点が生じ、押潰しが容易に完全に出来ないという問題点があった。
そして、軟質の合成樹脂の場合、あるいは薄肉のＰＥＴボトルの場合には、丸み込み押潰しが容易にできるが、一定厚さを有するＰＥＴボトル、あるいは厚肉の硬質の合成樹脂の場合には、押潰しが困難であるという問題点があった。
【０００５】
本発明は、上記の問題点を解決し、角形ボトルにおいて、ボトル胴部の両側の対向面の中央部を外側に張り出させて折り曲げ、胴部を扁平とし、次いで、扁平にされた胴部に対して底部を折り曲げて、底部を胴部表面に接圧した状態に折りたたんで廃棄するようにした押潰し可能な角形プラスチックボトルと、その押潰し方法を提供することを目的とする。
【０００６】
【課題を解決するための手段】
本発明は、上記の問題点を解決するため、角形プラスチックボトルとして、口筒部と、角錐部と角筒部とからなる肩周壁と、上部胴部と下部胴部とからなる角筒状の胴周壁と、底壁とを具えた角形プラスチックボトルであって、前記肩周壁の各壁面には、角錐部に肩部横リブを配設し、該肩部横リブの下方に二つの傾斜リブをＶ字形に配設しており、前記胴周壁の各壁面には、上部胴部の中央に縦リブを配設し、所定の位置に横リブを配設しており、下部胴部には、二つの傾斜リブを逆Ｖ字状に配設しており、肩周壁と上部胴部、上部胴部と下部胴部とのそれぞれの接続部には、溝状横リブが配設されていることを特徴とする構成を採用する。
【０００７】
また、角形プラスチックボトルの別実施態様として、口筒部と、角錐部と角筒部とからなる肩周壁と、上部胴部と下部胴部とからなる角筒状の胴周壁と、底壁とを具えた角形プラスチックボトルであって、前記肩周壁の各壁面には、角錐部に肩部横リブを配設し、該肩部横リブの下方に二つの傾斜リブをＶ字形に配設しており、前記胴周壁の各壁面には、上部胴部の所定の位置に胴部横リブを配設し、該胴部横リブの上下に、左右に配設された上下の横リブとその中央側端部を連続する傾斜リブとからなる複数の波形リブを配設しており、下部胴部には、二つの傾斜リブを逆Ｖ字状に配設しており、肩周壁と上部胴部、上部胴部と下部胴部とのそれぞれの接続部には、溝状横リブが配設されていることを特徴とする構成を採用する。
【０００８】
リブの集中によるボトルの弱化を防ぐために、肩周壁の傾斜リブ下端部と、溝状横リブの中央部および下部胴部の傾斜リブの上端部と溝状横リブの中央部にリブ相互の間に一定の間隔を設けるようにしたことを特徴とする構成を採用する。
【０００９】
角形プラスチックボトルの押潰し方法は、口筒部と、角錐部と角筒部とからなる肩周壁と、上部胴部と下部胴部とからなる角筒状の胴周壁と、底壁とを具えた角形プラスチックボトルにおいて、上部胴部の胴周壁の対向する前後両側面を前後から押圧することによって、胴周壁の左右両側壁を、その中央線を折り目として外側に張り出させて折りたたみ扁平胴部を形成させ、同時に肩周壁の左右側壁の下端中央部と下部胴部の左右側壁の上端中央部を外側に張り出させて変形肩部と変形底部を形成し、次いで、変形肩部と変形底部を扁平胴部の壁面に対して同じ方向に折り曲げ、次いで、変形底部を、底壁が扁平胴部の側壁面に接合するよう折重ね、変形底部の端部を変形肩部の肩周壁により形成された湾曲面と扁平胴部の側壁面で挟持させ、折重ね状態を維持して折重ね廃棄ボトルとするものである。
【００１０】
【発明の実施の形態】
次に、本発明の第１実施形態について、図面を参照して説明する。
図１，２，３に示すように、ボトルは、口筒部１と断面角形の肩周壁２、断面角形の胴周壁３と底壁４とからなっており、ＰＥＴその他硬質の合成樹脂をもってブロー成形されている。
【００１１】
口筒部１には、係合突条５と保持環６が設けられている。
肩周壁２は、円筒状の口筒部１に続く角部を円弧とし、縦方向に滑らかに湾曲した断面四角形の角錐部７と、該角錐部の下方に続く角部を円弧とした短い高さの角筒部８とからなっている。
【００１２】
肩周壁２の４つの側壁すなわち前後の側壁２ａ，２ｂと左右に側壁２ｃ，２ｄのそれぞれには、その角錐部７に肩部横リブ９が配設され、肩周壁２は、肩部横リブ９によって上部分と下部分に区分されている。
該下部分には角錐部７から角筒部８下端に至る二つの傾斜リブ１０ａ，ｂがその下端を交差させＶ字状に配設されている。
肩周壁２の下端には、肩周壁２と胴周壁３の上端とを接続する周壁をめぐる上部溝状横リブ１１が配設されている。
【００１３】
胴周壁３は、角部を円弧とした四角形の筒状体で、上部胴部１２とやや拡大された下部胴部１３とからなっており、上部胴部１２と下部胴部１３との間には、周壁をめぐる下部溝状横リブ１４が配設されている。
該下部溝状横リブ１４は、胴周壁３の各側壁において、側壁面の中央から左右両側に向かってやや下向きに傾斜して延びる右側リブ１４ａと左側リブ１４ｂからなり、その側端部は胴周壁３の角部で隣合う側壁の下部溝状横リブ１４側端部と接続している。
【００１４】
上部胴部１２の４つの側壁すなわち前後の側壁１２ａ，１２ｂ、左右の側壁１２ｃ，１２ｄの各壁面の中央には、肩周壁２角筒部８の傾斜リブ１０のＶ字状下端に連続して縦リブ１５が設けられ、その下端は、下部溝状横リブ１４の中央部に接続している。
【００１５】
各側壁１２ａ，ｂ，ｃ，ｄの表面の所定位置には、縦リブ１５に交差して胴部横リブ１６が配設されており、胴部横リブ１６の上下には、縦リブ１５を挟んで、所定の高さを有する波型の補強パネル１７ａ，ｂが配設されている。
補強パネル１７ａ，ｂを囲繞して補強リブ１８が設けられており、該リブ１８は、上リブ１８ａと下リブ１８ｂと側リブ１８ｃとからなっている。
【００１６】
下部胴部１３の前後の側壁１３ａ，１３ｂ、左右の側壁１３ｃ，１３ｄの各壁面には、下部溝状横リブ１４の中央に連続し、左右に逆Ｖ字状に延びる二つの傾斜リブ１９ａ，ｂが配設されている。
【００１７】
肩部横リブ９、各傾斜リブ１０，１９と縦リブ１５は、図３に示されているように、断面弧状で、両側の側壁と円弧をもって接続しており、上部溝状横リブ１１、下部溝状横リブ１４は、図１に示されているように、断面梯形溝で、溝底角部は一定の角度をもつよう形成されている。
【００１８】
上記各リブは、壁面変形用の可変リブであって、長手方向には屈曲困難で、補強リブとしての役割を有するが、横方向にはリブ断面が変形するとともに、壁面との接続部が屈曲し、可変リブを軸線として両側の壁面が容易に折れ曲がるようになっている。
折り曲げ角度が大きくなると、リブ本体あるいは壁面との接続部で弾性限度を超えて塑性変形が起こり、変形形状を維持することができる。
【００１９】
次に、ボトルの押潰し作用について、図面を参照して説明する。
始めに、ボトルの押潰し方法の概要について述べると、まず、胴壁部３上部胴部１２の前後の側壁１２ａ，ｂ面を押圧し、図４〜７に示すように、左右の側壁１２ｃ，ｄの中央部を外側に張り出させ、縦リブ１５を折り目として折り曲げて胴周壁３を扁平にして、扁平胴部３Ａを形成する。
上部溝状横リブ１１および下部溝状横リブ１４の角部に近い部分を押圧すると、上部胴部１２の扁平化と同時に、肩周壁２の角筒部８および下部胴部１３の左右の側壁１３ａ，ｂ中央部が外方に張り出すことになる（ここで前後、左右は、図１，２，３におけるボトル軸心を基準とし、ボトルをその軸線を水平の状態にした場合は前後は上下となる）。
【００２０】
図５，７に示すように、肩周壁２は、角錐状の上部分と、縦断面がほぼ三角形となった下部分とからなる変形肩部２Ａとなる。
図６，７に示すように、下部胴部１３は、下部溝状横リブ１４を軸として廻動屈曲され、底壁４との間で縦断面がほぼ三角形の変形底部４Ａが形成される。
かくして、図４〜７に示すような変形肩部２Ａ、扁平胴部３Ａと変形底部４Ａとからなる扁平ボトルを得ることができる。
【００２１】
次に、図９に示すようボトルの変形肩部２Ａと変形底部４Ａをそれぞれ上下の溝状横リブ１１，１４を軸として同一の側に廻動させ折り曲げる。
次いで、変形底部４Ａを上方に折り重ね、底壁４の端縁を上部溝状横リブ１１に係止させ、折り曲げた肩周壁２の側壁下部分２ａａに形成された湾曲面と扁平胴部３Ａの側壁面で挟持させるようにすると、図１０に示すような折り重ね廃棄ボトルを得ることができる。
【００２２】
次に、ボトルの構成に基づく押潰し時の作用について述べる。
まず、始めに、上部胴部１２の対向する前後の側壁１２ａ，ｂの壁面を、図２，３の矢印で示すように前後から押圧すると、図４〜７に示すように、上部胴部１２の左右の側壁１２ｃ，１２ｄの壁面は、縦リブ１５を折り目として外方に張り出し、胴周壁２の角部が平坦になり、前後の側壁１２ａ，１２ｂは接圧されて、左右の側壁１２ｃ，１２ｄの壁面の片側面と同一平面となる。
同時に肩周壁２の左右の側壁２ｃ，２ｄの角筒部８の中央部と下部胴部１３の左右の側壁１３ｃ，１３ｄの中央部も外方に張り出す。
【００２３】
肩周壁２は、口筒部１および肩周壁角錐部７の肩部横リブ９の上方部は厚肉であり、肩部横リブ９は長手方向には屈曲しないので、その上方部はほとんど変形しない。
傾斜リブ１０は、長手方向には変形困難であるが湾曲可能であり、肩周壁２の左右の側壁２ｃ，２ｄ下部分では、傾斜リブ１０下端は、側壁１２ｃ，１２ｄの縦リブ１５に引き寄せられ外方に張り出し、肩部横リブ９と二つの傾斜リブ１０ａ，ｂによってほぼ三角形の平面が形成される。
前後の側壁２ａ，２ｂの下部分２ａａ，２ｂｂでは、肩部横リブ９と上部溝状横リブ１１との間で傾斜リブ１０は、壁面を湾曲させるように作用する。
【００２４】
かくして、肩周壁２は変形して、肩部横リブ９上方部は変形しない肩部が形成され、下部分では上部溝状横リブ１１が屈曲されほぼ平行な二本の直線状となるので、肩部横リブ９と上部溝状横リブ１１の間で、湾曲した前後の側壁下部分２ａａ，２ｂｂと左右の三角形状の側壁からなる変形肩部２Ａが形成される。
【００２５】
図４，６に示すように下部胴部１３は、上部胴部１２の外側への張り出しに応じて、左右の側壁１３ｃ，１３ｄの下部溝状横リブ１４は、中央部で屈曲され、それに引き寄せられて傾斜リブ１９ａ，１９ｂの上端が外側に移動し、傾斜リブ１９ａ，ｂと底壁４の端縁との間にほぼ三角形の傾斜した平面を形成する。
【００２６】
前後の側壁１３ａ，１３ｂの壁面は、下部溝状横リブ１４を軸として廻動し、左右の側壁１３ｃ，１３ｄの片側面と同一平面となり、ほぼ台形の面が形成される。
下部溝状横リブ１４は、左右の側壁１３ｃ，ｄの中央で折れ曲がって、ほぼ平行な二本の直線状となる。
かくして、下部胴部１３は変形して、下部溝状横リブ１４と底壁４の端縁で形成される台形の平面と、傾斜リブ１９ａ，ｂと底壁端縁で形成される三角形の平面と、角形の底壁４とからなる変形底部４Ａが形成される。
【００２７】
次に、変形底部４Ａを、その下部胴部１３の前後の側壁１３ａ，１３ｂ面のいずれかを、同じ側にある上部胴部１２の前後の側壁１２ａ，１２ｂ面と同一平面となるよう折り曲げると、図８に示すように扁平な押潰しボトルができる。
【００２８】
その際には、例えば、下部胴部１３の後側の側壁１３ｂが上部胴部１２の側壁１２ｂとほぼ同一の平面となるまで廻動させると、下部溝状横リブ１４ａ，ｂが中央から両側の角部にかけて傾斜しているので、図４の右半分をとると、前側壁１３ａの右側は右側リブ１４ａを軸に、右側壁１３ｄの左側部分は左側リブ１４ｂを軸に廻動し、前側壁１３ａと側壁１３ｄとを結ぶ角部では双方の壁面が押し合うような力が作用する。
図の左半分も同様であり、壁面を押し合う力は、壁面が９０度を越えて廻動されたときに台形の平面の変形状態を維持するように作用する。
【００２９】
次に、変形肩部２Ａを、下部溝状横リブ１４を軸として変形底部４Ａと同じ方向に折り曲げる。
その際には、図９に示すように上部溝状横リブ１１の変形だけでなく、上部胴部１２の変形も伴われる。
すなわち、上部胴部１２は、折曲げ側の前側壁１２ａでは、補強リブ１８の上リブ１８ａを折り目として、前側壁１２ａの側面上端部が折り曲げられる。
【００３０】
上部溝状横リブ１１は、折曲げ側すなわち肩周壁の前側壁２ａの側では、リブ断面が閉じるよう折り込まれ、後側壁２ｂの側では、リブ断面が開くようになり、後側壁２ｂの側の上部溝状横リブ１１が復元されることによって、上部胴部１２の後側壁１２ｂと、後側壁下部分２ｂｂの湾曲面とのなす角度を広げ、肩周壁２の折り曲げ状態を維持するように作用する。
そして、前側壁２ａの側では、上リブ１８ａの折れ曲がりにより、上部胴部前側壁１２ａの胴部横リブ１６と上部溝状横リブ１１を結ぶ線と前側壁下部分２ａａの湾曲面のなす角度は９０度以下に減少させられる。
【００３１】
次に、変形底部４Ａを、図８の状態から上方に折り曲げると、図９に示すように底壁端縁４ａは、胴部横リブ１６近くまで達する。
さらに、変形底部４Ａを扁平胴部３Ａ上に折重ねるようにすると、図１０に示すように扁平胴部３Ａは、胴部横リブ１６を折れ目として屈曲し、変形底部４Ａの他方の底壁端縁４ｂは、上部溝状横リブ１１に係合し、変形底部４Ａの底壁４と下部胴部の側壁１３ｂの壁面は、上部溝状横リブ１１を軸として屈曲された肩周壁２の前側壁下部分２ａａの湾曲面で押さえられ、折重ね状態が維持される。
かくして、図１０に示すような折り重ね廃棄ボトルを得ることができ、そのまま廃棄しても外力を加えない限り簡単には復元しない。
【００３２】
次に第２実施形態について説明する。
本実施形態は、第１実施形態のリブの形状と配置を変えたものである。
以下第１実施形態と異なる点を中心に説明する。
図１１に示すように、ボトルは、口筒部３０と断面角形の肩周壁３１、断面角形の胴周壁３２と底壁３３とからなっており、ＰＥＴその他硬質の合成樹脂をもってブロー成形されている。
断面角形の肩周壁３１、断面角形の胴周壁３２は、前後左右の４つの側壁面を有しており、その側面は共通であるので、以下一つの側面である前壁面の構成のみについて説明する。
【００３３】
肩周壁３１は、前記第１実施形態と同様に角錐部３４と、角筒部３５とからなっている。
肩周壁３１の各側壁には、その角錐部３４に肩部横リブ３６が配設され、その下方には角錐部３４から角筒部３５にかけて二つの傾斜リブ３７ａ，ｂが下端が近接するよう対称的に配設されている。
肩周壁３１の下端には、肩周壁３１と胴周壁３２の上端とを接続する上部溝状横リブ３８が中央部に一定の間隔をおいて配設されている。
【００３４】
胴周壁３２の各側壁は、上部胴部３９と下部胴部４０とからなっており、上部胴部３９の所定位置には、胴周壁３２をめぐる胴部横リブ４１が配設されている。
上部胴部３９と下部胴部４０との間に、側壁面の中央に対して一定の間隔をおいて端部を位置させ、端部から左右両側に向かってやや下向きに傾斜して延びる右側リブ４２ａと左側リブ４２ｂからなる下部溝状横リブ４２が設けられ、胴周壁３２の角部で隣合う側壁の下部溝状横リブ４２端部と接続している。
【００３５】
上部胴部３９の各側壁面には、複数の波形リブ４３が配設されている。
波形リブ４３は、上リブ４３ａと壁面の中心線を挟んで反対側に配置された下リブ４３ｂと、上リブ４３ａと下リブ４３ｂの内端を接続し、上下リブ４３ａ，ｂより細巾の傾斜リブ４３ｃとからなっている。
上部胴部３９の胴部横リブ４１の上下に配設された最上段の波形リブ４３の上リブ４３ａおよび最下段の波形リブ４３の下リブ４３ｂの中心線の反対側には、上下のリブ４３ａ，ｂとほぼ同形の横リブ４４ａ，ｂが配設され、それぞれの横リブ４４ａ，ｂは、対応する上リブ４３ａまたは下リブ４３ｂと同一軸線上に配置されている。
【００３６】
下部胴部４０の側壁面には、下部溝状横リブ４２より下方に、中央部に一定の間隔をおいて上端部を有し、下方に向かって両側に広がる二つの傾斜リブ４５ａ，ｂが配設されている。
【００３７】
本実施形態では、肩周壁３１の傾斜リブ３７ａ，ｂと上部溝状横リブ３８、下部溝状横リブ４２と傾斜リブ４５ａ，ｂが壁面中央で一定の間隔をおいて配置されているので、リブの接続部における応力の集中を避けることができ、さらに側壁面に複数の波形リブ４３を並列して配設しているので胴周壁３２の温度による膨張収縮にも対応でき、ボトルが強化されている。
また、リブの接続部でリブ相互の間に間隔をおくよう配置することは第１実施形態に適用することが出来る。
【００３８】
次に、ボトルの押潰し時の作用について説明する。
前後左右の４つの側壁面については、前記第１実施例と同一であるので、以下単に前後左右の側壁面というだけでとくに符号を付けて区別しない。
ボトルの押潰し方法の概略は、前記第１実施形態の押潰し方法と同一であり、まず扁平胴部３Ａを形成し、それに続いて変形肩部２Ａ、変形底部４Ａの形成を行う。
次に、変形底部４Ａと変形肩部２Ａをそれぞれ上下の溝状横リブ３８，４２を軸として同一の側に廻動させ、さらに変形底部４Ａを上方に折り重ね、底壁３３の端縁を上部溝状横リブ３８に係止させ、変形肩部２Ａの湾曲面と扁平胴部３Ａの側壁面で挟持させることによって、図１０に示すような折り重ね廃棄ボトルを得ることができる。
【００３９】
次に、リブの形状、配置について、第１実施形態と異なる構成に基づく押潰し時の作用について述べる。
扁平胴部３Ａの形成にあたっては、胴周壁の上部胴部３９の左右側壁面の外側への張り出し折り込みは、波形リブ４３の傾斜リブ４３ｃを折れ目として折りたたまれ、リブがない壁面部が傾斜リブ４３ｃに連続して折れ、上下に直線状に連続した折れ目が形成される。
そしてリブの形状は異なるが図４〜７に示すような扁平胴部３Ａが形成される。
【００４０】
変形肩部２Ａの形成にあたっては、肩周壁３１の左右側壁の中央部は、上部胴部３９の左右側壁面の張り出しに引き寄せられ、肩周壁３１の下方部が外方に張り出し、肩部横リブ３６と傾斜リブ３７ａ，ｂにより図５に示すような三角形の平面が形成される。
その際、傾斜リブ３７ａ，ｂの下端が接続していなくても、折れ目が胴周壁の側壁面に連続して形成され、間隔の有無は影響しない。
【００４１】
変形底部４Ａの形成、下部胴部４０の変形にあたっても、下部胴部４０の左右側壁の中央部が上部胴部３９の張り出しに応じて引き寄せられ、図６に示すような底壁３３と傾斜リブ４５ａ，ｂにより三角形の平面が形成される。
上部溝状横リブ３８、下部溝状横リブ４２についても、中央部に一定の間隔を置いて非連続部が形成されているが、肩周壁３１の折り曲げ、下部胴部４０の折れ曲げには影響しない。
【００４２】
以上に続く、変形肩部２Ａ、扁平胴部３Ａ、変形底部４Ａの変形順序は第１実施形態のそれと同様であって、したがって、第２実施形態においても前記第１実施形態と同様な作用効果を得ることができ、図１０に示すような折重ね廃棄ボトルを得ることができる。
【００４３】
前記各実施形態では、口筒部に係合突条５を刻設して打栓式のキャップ、中栓を用いるようにしているが、口筒部外周にネジを刻設しネジキャップを用いるようにしてもよい。
また、各側周壁の表面中央部に配設された波型の補強パネル１７、補強パネル１７を囲繞する補強リブ１８の形状については適宜変更することができ、また場合によっては形成しなくてもよい。
【００４４】
【発明の効果】
本発明は、上記のように構成されているから、次の効果を奏する。
ボトルの胴周壁の中央部に縦リブまたは波形リブの傾斜部、肩周壁にＶ字形リブ、下部胴部に逆Ｖ字形リブを配設し、周壁を左右壁面の中央部で外方に折りたたむようにしているので、胴周壁表面を所定の形状通りの薄い扁平胴部とすることができる。
次いで、扁平胴部を折り重ねるようにしているので、ボトルの折り重ねが所定の形状になるよう容易にでき、押潰しボトルの容量を小さくすることができた。
肩部を上部溝状横リブを軸として折り曲げ、変形底部の底壁端縁を上部溝状横リブに係止し、変形底部を胴部上端部と肩部下部分の湾曲面で挟み込んでいるので、折りたたんだ状態を維持することができ、外力を加えない限り簡単には復元しないので、そのまま廃棄ボトルとして廃棄することができる。
【図面の簡単な説明】
【図１】本発明第１実施形態のボトルの正面図である。
【図２】ボトルの平面図である。
【図３】図１のＡ−Ａ線における断面平面図である。
【図４】扁平にされたボトルの正面図である。
【図５】扁平にされたボトルの上面図である。
【図６】扁平にされたボトルの底面図である。
【図７】扁平にされたボトルの左側面図である。
【図８】変形底部の下部胴部を折り曲げたボトルの左側面図である。
【図９】変形肩部と変形底部を折り曲げたボトルの左側面図である。
【図１０】折重ね状態とした廃棄ボトルの左側面図である。
【図１１】第２実施形態のボトルの正面図である。
【符号の説明】
１、３０              口筒部
２、３１              肩周壁
２Ａ                  変形肩部
３、３２              胴周壁
３Ａ                  扁平胴部
４、３３              底壁
４Ａ                  変形底部
９、３６              肩部横リブ
１０ａ，ｂ、３７ａ，ｂ  傾斜リブ
１１、３８              上部溝状横リブ
１２、３９              上部胴部
１３、４０              下部胴部
１４、４２              下部溝状横リブ
１５                    縦リブ
１６、４１              胴部横リブ
１８                    補強リブ
１８ａ                  上リブ
１８ｂ                  下リブ
１９ａ，ｂ、４５ａ，ｂ  傾斜リブ
４３                    波形リブ
４４                    横リブ
【図１】
0004111291.tif 000002
【図２】
0004111291.tif 000003
【図３】
0004111291.tif 000004
【図４】
0004111291.tif 000005
【図５】
0004111291.tif 000006
【図６】
0004111291.tif 000007
【図７】
0004111291.tif 000008
【図８】
0004111291.tif 000009
【図９】
0004111291.tif 000010
【図１０】
0004111291.tif 000011
【図１１】
0004111291.tif 000012